(57)【特許請求の範囲】
【請求項１】
ベースと、
前記ベースに対して上下に摺動可能に設けられたスライダと、
前記ベースに設けられたカムと、
前記カムの左端に対応する位置から右端に対応する位置にかけて左右に移動可能となって、前記スライダに設けられたカムフォロワと、
前記カムの左端と前記カムの右端の間の中央部に向けて前記カムを左右に付勢し、前記カムフォロワを前記カムに圧接する付勢機構と、を備え、
前記ベースに対する前記スライダの摺動によって前記カムフォロワが前記カムの最上位置から最下位置にスライドする際、及び該カムの最下位置から最上位置にスライドする際の、該カムによる該カムフォロワの経路が異なることを特徴とするスライド機構。
【請求項２】
前記カムが、
前記ベースに設けられ、左に凸となる左凸カム部と、
前記左凸カム部の右側において前記ベースに設けられ、右に凸になり、前記左凸カム部に対して上端同士及び下端同士が連なる右凸カム部と、を有することを特徴とする請求項１に記載のスライド機構。
【請求項３】
前記付勢機構が、前記カムフォロワを前記カムの左右の頂部の中央部に釣り合わせ、
前記左凸カム部及び前記右カム凸部の上端と下端のうち一方が前記カムフォロワの釣り合い位置よりも左に配置され、他方が前記カムフォロワの釣り合い位置よりも右に配置されていることを特徴とする請求項２に記載のスライド機構。
【請求項４】
前記左凸カム部の左端の頂部が、前記左カム凸部及び前記右凸カム部の上端と下端のうち前記カムフォロワの釣り合い位置よりも右に配置された端部寄りに配置され、
前記右凸カム部の右端の頂部が、前記左カム凸部及び前記右凸カム部の上端と下端のうち前記カムフォロワの釣り合い位置よりも左に配置された端部寄りに配置されていることを特徴とする請求項３に記載のスライド機構。
【請求項５】
前記左カム凸部及び前記右凸カム部の上端と下端のうち前記カムフォロワの釣り合い位置よりも右に配置された端部の角を挟む二面のうち右側の面が、前記スライダに対する前記カムフォロワの移動方向に対して垂直であり、
前記左カム凸部及び前記右凸カム部の上端と下端のうち前記カムフォロワの釣り合い位置よりも左に配置された端部の角を挟む二面のうち左側の面が、前記スライダに対する前記カムフォロワの移動方向に対して垂直であることを特徴とする請求項３又は４に記載のスライド機構。
【請求項６】
前記左凸カム部が、
前記ベースに設けられ、左斜め下に傾斜した第一のカム面と、
前記ベースに設けられ、前記第一のカム面の左下から右斜め下に傾斜した第二のカム面と、を有し、
前記右凸カム部が、
前記ベースに設けられ、前記第二のカム面の右下から右斜め上に傾斜した第三のカム面と、
前記ベースに設けられ、前記第三のカム面の右上から前記第一のカム面の右上まで左斜め上に傾斜した第四のカム面と、を有することを特徴とする請求項２から５の何れか一項に記載のスライド機構。
【請求項７】
前記付勢機構が、
前記スライダに対して左右に移動可能に設けられた第一及び第二のガイド材と、
前記スライダに対して前記第一のガイド材を左に付勢する第一のバネと、
前記スライダに対して前記第二のガイド材を右に付勢する第二のバネと、を有し、
前記第一のガイド材が、
前記第一のガイド材に対する前記カムフォロワの右への移動を規制する第一規制部と、
前記第一規制部から左に前記カムフォロワを案内する第一ガイドと、を有し、
前記第二のガイド材が、
前記第二のガイド材に対する前記カムフォロワの左への移動を規制する第二規制部と、
前記第二規制部から右に前記カムフォロワを案内する第二ガイドと、を有することを特徴とする請求項１から６の何れか一項に記載のスライド機構。
【請求項８】
前記スライダにガイドが形成され、そのガイドが前記スライダの上下の摺動方向及びその摺動方向に垂直な方向に対して傾斜し、前記カムフォロワが前記ガイドによって斜めに左右に案内されることを特徴とする請求項１から７の何れか一項に記載のスライド機構。
【請求項９】
前記カムの上端に対応する位置において前記カムフォロワを上に逃がす逃げが前記ガイドに形成され、前記カムの下端に対応する位置において前記カムフォロワを下に逃がす逃げが前記ガイドに形成されていることを特徴とする請求項８に記載のスライド機構。
【請求項１０】
前記カムフォロワがローラフォロワであることを特徴とする請求項１から９の何れか一項に記載のスライド機構。
【請求項１１】
前筐体と、
前記前筐体の後面に向き合う後ろ筐体と、
請求項１から１０の何れか一項に記載のスライド機構と、を備え、
前記ベースが前記前筐体の後面に取り付けられ、前記スライダが前記後ろ筐体の前面に取り付けられていることを特徴とする電子機器。
【発明の詳細な説明】
【技術分野】
【０００１】
本発明は、スライド機構及び電子機器に関し、特にそのスライダ又は筐体を低負荷で移動させることができるスライド機構及び電子機器に関する。
【背景技術】
【０００２】
近年、スライド式の携帯電話機が広く普及している。かかる携帯電話機においては、前筐体の後面と後ろ筐体の前面がスライド機構によって連結され、前筐体を後ろ筐体に対して上下にスライドできるようになっている。例えば、特許文献１に記載の携帯電話機においては、前筐体（１）にスライド部材（１０）が取り付けられ、スライド部材（１０）が後ろ筐体（２）に対して上下に摺動可能となっている。後ろ筐体（２）には、四角形状のカム（５）が設けられ、このカム（５）の左右両側のカム面（４）が山状に形成されている。スライド部材（１０）には２つのカムフォロワ（７）が設けられ、これらカムフォロワ（７）がスライド部材（１０）に対して左右に移動可能に設けられ、これらカムフォロワ（７）の間にバネ（８）が掛けられ、これらカムフォロワ（７）によってカム（５）が挟まれている。両筐体（１，２）が閉じた状態から前筐体（１）を上にスライドさせると、バネ（８）が引っ張られ、カムフォロワ（７）が左右の山の頂部を乗り越えると、そのバネ（８）の力によって前筐体（１）が自然に上に移動するようになっている。逆に両筐体（１，２）が開いた状態から前筐体（１）を下にスライドさせた場合も、カムフォロワ（７）が左右の山の頂部を乗り越えると、バネ（８）によって前筐体（１）が自然に下に移動するようになっている。
【特許文献１】特開２００７−４９６５０号公報（図５、図６）
【発明の開示】
【発明が解決しようとする課題】
【０００３】
ところで、両筐体（１，２）を閉じるときも開くときも、カムフォロワ（７）が同一のカム面（４）に沿って摺動する。そのため、カムフォロワ（７）が山の頂部を乗り越えるときの前筐体（１）の位置は、両筐体（１，２）を開くときも閉じるときも同じ位置になる。
山の頂部を下側に配置すると、両筐体（１，２）を開くときにカムフォロワ（７）が山の頂部を乗り越えるまでの前筐体（１）のスライド距離が短くなるため、カムフォロワ（７）が山の頂部を乗り越えて前筐体（１）が自然に上にスライドする距離が長くなるので、ユーザにとって操作しやすい。しかし、両筐体（１，２）を閉じるときには、カムフォロワ（７）が山の頂部を乗り越えるまでの前筐体（１）のスライド距離が長くなってしまい、前筐体（１）が自然に下にスライドする距離が短くなって、ユーザにとっては操作しづらい。
一方、山の頂部を上側に配置すると、両筐体（１，２）を閉じるときには、前筐体（１）が自然に下にスライドする距離が長くなるが、両筐体（１，２）を開くときには、前筐体（１）が自然に上にスライドする距離が短くなってしまう。
そこで、本発明の課題は、両筐体を開くときに両筐体が自然にスライドする距離と両筐体を閉じるときに両筐体が自然にスライドする距離を別個に設定できるようにすることである。
【課題を解決するための手段】
【０００４】
請求項１に係る発明によれば、
ベースと、
前記ベースに対して上下に摺動可能に設けられたスライダと、
前記ベースに設けられたカムと、
前記カムの左端に対応する位置から右端に対応する位置にかけて左右に移動可能となって、前記スライダに設けられたカムフォロワと、
前記カムの左端と前記カムの右端の間の中央部に向けて前記カムを左右に付勢し、前記カムフォロワを前記カムに圧接する付勢機構と、を備え、
前記ベースに対する前記スライダの摺動によって前記カムフォロワが前記カムの最上位置から最下位置にスライドする際、及び該カムの最下位置から最上位置にスライドする際の、該カムによる該カムフォロワの経路が異なることを特徴とするスライド機構が提供される。
【０００５】
請求項２に係る発明によれば、
前記カムが、
前記ベースに設けられ、左に凸となる左凸カム部と、
前記左凸カム部の右側において前記ベースに設けられ、右に凸になり、前記左凸カム部に対して上端同士及び下端同士が連なる右凸カム部と、を有することを特徴とする請求項１に記載のスライド機構が提供される。
【０００６】
請求項３に係る発明によれば、
前記付勢機構が、前記カムフォロワを前記カムの左右の頂部の中央部に釣り合わせ、
前記左凸カム部及び前記右カム凸部の上端と下端のうち一方が前記カムフォロワの釣り合い位置よりも左に配置され、他方が前記カムフォロワの釣り合い位置よりも右に配置されていることを特徴とする請求項２に記載のスライド機構が提供される。
【０００７】
請求項４に係る発明によれば、
前記左凸カム部の左端の頂部が、前記左カム凸部及び前記右凸カム部の上端と下端のうち前記カムフォロワの釣り合い位置よりも右に配置された端部寄りに配置され、
前記右凸カム部の右端の頂部が、前記左カム凸部及び前記右凸カム部の上端と下端のうち前記カムフォロワの釣り合い位置よりも左に配置された端部寄りに配置されていることを特徴とする請求項３に記載のスライド機構が提供される。
【０００８】
請求項５に係る発明によれば、
前記左カム凸部及び前記右凸カム部の上端と下端のうち前記カムフォロワの釣り合い位置よりも右に配置された端部の角を挟む二面のうち右側の面が、前記スライダに対する前記カムフォロワの移動方向に対して垂直であり、
前記左カム凸部及び前記右凸カム部の上端と下端のうち前記カムフォロワの釣り合い位置よりも左に配置された端部の角を挟む二面のうち左側の面が、前記スライダに対する前記カムフォロワの移動方向に対して垂直であることを特徴とする請求項３又は４に記載のスライド機構が提供される。
【０００９】
請求項６に係る発明によれば、
前記左凸カム部が、
前記ベースに設けられ、左斜め下に傾斜した第一のカム面と、
前記ベースに設けられ、前記第一のカム面の左下から右斜め下に傾斜した第二のカム面と、を有し、
前記右凸カム部が、
前記ベースに設けられ、前記第二のカム面の右下から右斜め上に傾斜した第三のカム面と、
前記ベースに設けられ、前記第三のカム面の右上から前記第一のカム面の右上まで左斜め上に傾斜した第四のカム面と、を有することを特徴とする請求項２から５の何れか一項に記載のスライド機構が提供される。
【００１０】
請求項７に係る発明によれば、
前記付勢機構が、
前記スライダに対して左右に移動可能に設けられた第一及び第二のガイド材と、
前記スライダに対して前記第一のガイド材を左に付勢する第一のバネと、
前記スライダに対して前記第二のガイド材を右に付勢する第二のバネと、を有し、
前記第一のガイド材が、
前記第一のガイド材に対する前記カムフォロワの右への移動を規制する第一規制部と、
前記第一規制部から左に前記カムフォロワを案内する第一ガイドと、を有し、
前記第二のガイド材が、
前記第二のガイド材に対する前記カムフォロワの左への移動を規制する第二規制部と、
前記第二規制部から右に前記カムフォロワを案内する第二ガイドと、を有することを特徴とする請求項１から６の何れか一項に記載のスライド機構が提供される。
【００１１】
請求項８に係る発明によれば、
前記スライダにガイドが形成され、そのガイドが前記スライダの上下の摺動方向及びその摺動方向に垂直な方向に対して傾斜し、前記カムフォロワが前記ガイドによって斜めに左右に案内されることを特徴とする請求項１から７の何れか一項に記載のスライド機構が提供される。
【００１２】
請求項９に係る発明によれば、
前記カムの上端に対応する位置において前記カムフォロワを上に逃がす逃げが前記ガイドに形成され、前記カムの下端に対応する位置において前記カムフォロワを下に逃がす逃げが前記ガイドに形成されていることを特徴とする請求項８に記載のスライド機構が提供される。
【００１３】
請求項１０に係る発明によれば、
前記カムフォロワがローラフォロワであることを特徴とする請求項１から９の何れか一項に記載のスライド機構が提供される。
【００１４】
請求項１１に係る発明によれば、
前筐体と、
前記前筐体の後面に向き合う後ろ筐体と、
請求項１から１０の何れか一項に記載のスライド機構と、を備え、
前記ベースが前記前筐体の後面に取り付けられ、前記スライダが前記後ろ筐体の前面に取り付けられていることを特徴とする電子機器が提供される。
【発明の効果】
【００１５】
本発明によれば、付勢機構に抗してスライダを摺動させる距離をスライダの摺動向きごとに独立して設定することができるとともに、付勢機構によりスライダの摺動を補助する距離をスライダの摺動向きごとに独立して設定することができる。
【発明を実施するための最良の形態】
【００１６】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１７】
〔第１の実施の形態〕
図１は、電子機器１の正面、下面及び右側面を示した分解斜視図である。
この電子機器１は、携帯電話機、パーソナルコンピュータ、デジタルカメラ、ＰＤＡ（Personal Digital Assistance）、電子手帳、携帯無線機その他の電子機器である。この電子機器１は、スライド機構２と、スライド機構２によって互いにスライド可能となって連結された前筐体３及び後ろ筐体４と、を備える。
【００１８】
前筐体３の前面には、液晶ディスプレイ又はＥＬディスプレイ等を有する表示部５が設けられている。後ろ筐体４の前面であってその下部には、複数の押釦６からなる入力部７が設けられている。
【００１９】
図２は、スライド機構２の正面図であり、図３は、スライド機構２を一部分解した状態で示した分解斜視図である。
スライド機構２は、薄板状のベース１０と、ベース１０の後面に設けられたカム１３と、ベース１０に対して上下に移動可能となってベース１０に取り付けられたキャリッジユニット２５と、を有する。
【００２０】
ベース１０の左右両端には、ガイドレール１１，１２が形成されている。ガイドレール１１，１２は、上下に一直線状に形成されている。ベース１０は、その両側のガイドレール１１，１２を含めて、金属製である。図１に示すように、このベース１０が前筐体３の後面に取り付けられている。
【００２１】
図４は、ベース１０の後面、左側面及び下面を示した斜視図である。図２、図４に示すように、カム１３は、ベース１０の左右の中央部であって、ベース１０の上下の中央部よりも僅かながら上に設けられている。このカム１３は外接カムであり、カム１３を正面から見た場合にカム１３の形状は四角形状、具体的には平行四辺形状である。カム１３の頂部は４つあり、これらのうちで頂部１４が最も上に配置され、頂部１５が最も左に配置され、頂部１６が最も下に配置され、頂部１７が最も右に配置されている。上の頂部１４はベース１０の左右の中心よりも右側に配置され、下の頂部１６はベース１０の左右の中心よりも左側に配置されている。上下の頂部１４，１６の内角が鋭角となっており、左右の頂部１５，１７の内角が鈍角となっており、左右の頂部１５，１７は丸面取りされている。
【００２２】
このカム１３は、左に凸となった山状の左凸カム部８と、右に凸となった山状の右凸カム部９とに分けられる。左凸カム部８及び右凸カム部９の上端同士が連なって頂部１４が形成され、左凸カム部８と右凸カム部９の下端同士が連なって頂部１６が形成される。左凸カム部８が、頂部１４と頂部１５の間のカム面１８と、頂部１５と頂部１６の間のカム面１９と、を有する。カム面１８は上から左斜め下に傾斜し、カム面１９はカム面１８の左下から右斜め下に傾斜している。右凸カム部９が、頂部１６と頂部１７の間のカム面２０と、頂部１７と頂部１４の間のカム面２１と、を有する。カム面２０はカム面１９の右下から右斜め上に傾斜し、カム面２１はカム面２０の右上からカム面１８の右上まで左斜め上に傾斜している。上下方向における頂部１５の位置が頂部１４，１６のうち頂部１４寄りになっており、上下方向における頂部１７の位置が頂部１４，１６のうち頂部１６寄りになっている。そのため、カム面１８の長さはカム面１９の長さよりも短く、カム面２０の長さはカム面２１の長さよりも短い。
【００２３】
キャリッジユニット２５について図２、図５〜図７を用いて詳細に説明する。図５は、キャリッジユニット２５の正面図であり、図６は、分解した状態のキャリッジユニット２５の前面、下面及び右側面を示した分解斜視図であり、図７は、分解した状態のキャリッジユニット２５の後面、下面及び左側面を示した分解斜視図である。
【００２４】
キャリッジユニット２５は、ベース１０に対して上下に摺動可能となってベース１０に取り付けられたスライダ２６と、スライダ２６に対して左右に移動可能に設けられ、カム１３に外接するカムフォロワ２７と、カム１３の左右の頂部１５，１７の間の中央部に向けてカムフォロワ２７を左右に付勢し、カムフォロワ２７をカム１３に圧接する付勢機構２４等とを有する。
【００２５】
スライダ２６が薄板状に形成されている。スライダ２６の左右両側にはすべり具２８，２９が設けられ、すべり具２８，２９には上下方向に長尺なスリット３０，３１がそれぞれ形成されている。スリット３０にガイドレール１１が差し込まれ、スリット３１にガイドレール１２が差し込まれている。すべり具２８，２９がそれぞれガイドレール１１，１２に沿って摺動可能とされ、これによりスライダ２６がベース１０に対して上下にスライド可能となっている。すべり具２８，２９が樹脂製であるから、金属のガイドレール１１，１２に対して潤滑性が高くなっている。
【００２６】
ベース１０に対してスライダ２６がスライドする範囲は、図２に示すようにスライダ２６の上端とベース１０の上端が揃う位置（以下、最上位置という。）から、図８に示すようにスライダ２６の下端とベース１０の下端が揃う位置（以下、最下位置という。）までの範囲である。
【００２７】
図１に示すように、スライダ２６は後ろ筐体４の前面であって入力部７の上側に取り付けられている。スライダ２６が最上位置にある場合には、前筐体３の上端と後ろ筐体４の上端の上下の位置が揃っているとともに、前筐体３の下端と後ろ筐体４の下端の上下の位置が揃っている。そのため、入力部７が前筐体３の後ろに隠れている。一方、スライダ２６が最下位置にある場合には、後ろ筐体４の下端が前筐体３の下端から下にずれており、入力部７が露出している。
【００２８】
図２、図５〜図７に示すように、スライダ２６には、カムフォロワ２７を左右に案内するガイド３２が形成されている。ガイド３２はスライダ２６を前後に貫通している。ガイド３２は左右に長尺な長孔であり、右斜め上に傾斜している。そして、正面から見て、ガイド３２の長手方向がカム面１９，２１に対して垂直になっている。
【００２９】
ガイド３２の上側の縁であって左右の中央部よりも僅かに右側には、上に窪んだ逃げ３３が形成され、ガイド３２の下側の縁であって左右の中央部よりも僅かに左側には、下に窪んだ逃げ３４が形成されている。そして、左右方向におけるカム１３の頂部１４の位置と逃げ３３の位置とが揃っており、左右方向における頂部１６の位置と逃げ３４の位置とが揃っている。
【００３０】
カムフォロワ２７は、ラジアルボールベアリング型のローラカムフォロワである。カムフォロワ２７は、ネジ３８及びナット３９によって前部フランジ３５、後部フランジ３６及びすべり首部３７に組み付けられている。すべり首部３７は前部フランジ３５と後部フランジ３６の間に挟まれているとともに、そのすべり首部３７がガイド３２に挿入され、スライダ２６が両フランジ３５，３６の間に挟まれている。前部フランジ３５の前面であってその中央部にカムフォロワ２７が組み付けられている。すべり首部３７の直径がガイド３２の幅（逃げ３３，３４の部分を除く。）にほぼ等しく、すべり首部３７がガイド３２に沿って摺動可能とされ、これによりカムフォロワ２７、前部フランジ３５、後部フランジ３６及びすべり首部３７が一体となってガイド３２に沿って案内される。ガイド３２によってカムフォロワ２７が案内されるため、正面から見て、カム面１９，２１がスライダ２６に対するカムフォロワ２７の移動方向に対して垂直である。また、カムフォロワ２７の左右の移動範囲は、カム１３の左の頂部１５に対応する位置から右の頂部１７に対応する位置まである。
【００３１】
付勢機構２４について詳細に説明する。
付勢機構２４は、スライダ２６の前面に固定された前部案内部材４０と、スライダ２６の後面に固定された後部案内部材４５と、前部案内部材４０によってガイド３２に沿って左右に案内されるとともに前部フランジ３５を左右に案内する第一のガイド板５０と、後部案内部材４５によってガイド３２に沿って左右に案内されるとともに後部フランジ３６を左右に案内する第二のガイド板５５と、スライダ２６及び前部案内部材４０に対して第一のガイド板５０を左に付勢する第一のトーションバネ６０と、スライダ２６及び後部案内部材４５に対して第二のガイド板５５を右に付勢する第二のトーションバネ６５等とを備える。
【００３２】
前部案内部材４０の後面には、ガイド凹部４１が凹設され、ガイド凹部４１の底に長孔４３が形成されている。また、前部案内部材４０の後面に支点ピン４２が凸設されている。この前部案内部材４０の後面がスライダ２６の前面に当接した状態で、前部案内部材４０がネジ７１，７２によってスライダ２６に取り付けられている。
【００３３】
後部案内部材４５の前面には、ガイド凹部４６が凹設され、ガイド凹部４６の底に長孔４８が形成されている。また、後部案内部材４５の後面に支点ピン４７が凸設されている。この後部案内部材４５の前面がスライダ２６の後面に当接した状態で、後部案内部材４５がネジ７３，７４によってスライダ２６に取り付けられている。
【００３４】
第一のガイド板５０の後面左下には摺動ピン５３が凸設されている。また、第一のガイド板５０には左右に長尺なガイド穴５１が形成され、ガイド穴５１の下側の縁であってその右側には、下側に窪んだ逃げ５２が形成されている。ガイド穴５１の右縁部分が規制部５４となっている。この第一のガイド板５０が前部案内部材４０のガイド凹部４１に遊びをもって嵌められ、第一のガイド板５０がガイド凹部４１によって左右に案内される。一方、スライダ２６の左部には、左右に長尺であって右斜め上に傾斜したガイドスリット８０が形成されている。このガイドスリット８０に摺動ピン５３が挿入され、摺動ピン５３がガイドスリット８０に沿って摺動可能となっている。第一のガイド板５０が遊びをもってガイド凹部４１に嵌められているから、第一のガイド板５０が摺動ピン５３を中心にして僅かながら回転し得る。
【００３５】
第一のガイド板５０のガイド穴５１に前部フランジ３５が嵌められている。前部フランジ３５の直径はガイド穴５１の幅（逃げ５３の部分を除く。）とほぼ等しく、前部フランジ３５がガイド穴５１に沿って左右に案内される。前部フランジ３５がガイド穴５１の右端に位置した場合、前部フランジ３５が規制部５４に当接し、カムフォロワ２７、前部フランジ３５及び後部フランジ３６が第一のガイド板５０に対してそれ以上右に移動することが規制部５４によって規制される。
【００３６】
第二のガイド板５５の前面右下には摺動ピン５８が凸設されている。また、第二のガイド板５５には左右に長尺なガイド穴５６が形成され、ガイド穴５６の上側の縁であってその左側には、上側に窪んだ逃げ５７が形成されている。ガイド穴５６の左縁部分が規制部５９となっている。この後部案内部材４５のガイド凹部４６に遊びをもって嵌められ、第二のガイド板５５がガイド凹部４６によって左右に案内される。一方、スライダ２６の右部には、左右に長尺であって右斜め上に傾斜したガイドスリット８１が形成されている。このガイドスリット８１に摺動ピン５８が挿入され、摺動ピン５８がガイドスリット８１に沿って摺動可能となっている。第二のガイド板５５が遊びをもってガイド凹部４６に嵌められているから、第二のガイド板５５が摺動ピン５８を中心にして僅かながら回転し得る。
【００３７】
第二のガイド板５５のガイド穴５６に後部フランジ３６が嵌められている。後部フランジ３６の直径はガイド穴５６の幅（逃げ５７の部分を除く。）とほぼ等しく、後部フランジ３６がガイド穴５６に沿って左右に案内される。後部フランジ３６がガイド穴５６の左端に位置した場合、後部フランジ３６が規制部５９に当接し、カムフォロワ２７、前部フランジ３５及び後部フランジ３６が第二のガイド板５５に対してそれ以上左に移動することが規制部５９によって規制される。
【００３８】
第一のトーションバネ６０の一方のアーム６１の先端部が回転可能となって支点ピン４２に連結され、他方のアーム６２の先端部が回転可能となって摺動ピン５３に連結されている。また、第二のトーションバネ６５の一方のアーム６６の先端部が回転可能となって支点ピン４７に連結され、他方のアーム６７の先端部が回転可能となって摺動ピン５８に連結されている。
【００３９】
第一のガイド板５０が第一のトーションバネ６０によってスライダ２６及び前部案内部材４０に対して左に付勢されている。また、第二のガイド板５５が第二のトーションバネ６５によってスライダ２６及び後部案内部材４５に対して右に付勢されている。なお、第一のトーションバネ６０の代わりに圧縮バネ、引張バネその他のバネによって第一のガイド板５０が左に付勢されてもよい。同様に、第二のトーションバネ６５の代わりに圧縮バネ、引張バネその他のバネを用いてもよい。
【００４０】
カムフォロワ２７、前部フランジ３５及び後部フランジ３６がガイド３２の左右中央部に位置している状態では、ガイド穴５１に嵌められた前部フランジ３５がガイド穴５１の右縁部分の規制部５４に当接し、ガイド穴５６に嵌められた後部フランジ３６がガイド穴５６の左縁部分の規制部５９に当接し、これにより両トーションバネ６０，６５が釣り合っている。第二のガイド板５５、カムフォロワ２７、前部フランジ３５及び後部フランジ３６が第二のトーションバネ６５に抗して左右中央部よりも左側にある状態では、前部フランジ３５がガイド穴５１に沿って規制部５４から左に離れるので、第一のトーションバネ６０による荷重がカムフォロワ２７、前部フランジ３５及び後部フランジ３６に作用しない。一方、第一のガイド板５０、カムフォロワ２７、前部フランジ３５及び後部フランジ３６が第一のトーションバネ６０に抗して左右中央部よりも右側にある状態では、後部フランジ３６がガイド穴５６に沿って規制部５９から右に離れるので、第二のトーションバネ６５による荷重がカムフォロワ２７、前部フランジ３５及び後部フランジ３６に作用しない。
【００４１】
カムフォロワ２７が長孔４３に対して遊びをもって嵌められ、カムフォロワ２７が前部案内部材４０に接しない。更に、カムフォロワ２７が前部案内部材４０の前面よりも前方に突出している。スライダ２６がベース１０に対して組み付けられた状態では、カムフォロワ２７がカム１３に外接している。なお、ナット３９が後部案内部材４５に接しないように、ナット３９が長孔４８に対して遊びをもって嵌められ、カムフォロワ２７の動きが後部案内部材４５によって干渉されない。
【００４２】
図２に示すように、スライダ２６が最上位置にある場合には、カムフォロワ２７がカム１３の頂部１４の近傍においてカム面１８に接している。この状態においては、両トーションバネ６０，６５が釣り合ってカムフォロワ２７が左右の中央部に位置している。カムフォロワ２７が釣り合う位置よりも頂部１４が右側にあるから、図２の状態が保持される。
【００４３】
図８に示すように、スライダ２６が最下位置にある場合には、カムフォロワ２７がカム１３の頂部１６の近傍においてカム面２０に接している。この状態においては、両トーションバネ６０，６５が釣り合ってカムフォロワ２７が左右の中央部に位置し、頂部１６がその釣り合い位置よりも左側にあるから、図８の状態が保持される。なお、図２や図８のように両トーションバネ６０，６５が釣り合ってカムフォロワ２７が左右の中央部に位置している場合、前部フランジ３５がガイド穴５１の右縁に当接しているとともに、後部フランジ３６がガイド穴５６の左縁に当接している。
【００４４】
次に、スライド機構２及び電子機器１の操作方法及び作用について説明する。
【００４５】
（１）スライダ２６が最下位置から最上位置にスライドする場合
スライダ２６が最下位置にある状態（図８参照）からユーザが後ろ筐体４に対して前筐体３を下にスライドさせる。そうすると、スライダ２６が上にスライドし、スライダ２６とともにカムフォロワ２７も上に移動し、それに伴ってカムフォロワ２７がカム面２０によって右に押されながらカム面２０を摺動する。そのため、カムフォロワ２７、前部フランジ３５及び後部フランジ３６がガイド３２に沿って右に移動する。この際、後部フランジ３６がガイド穴５６に沿って右に移動するから第二のガイド板５５が移動しないが、前部フランジ３５によって第一のガイド板５０が第一のトーションバネ６０の付勢力に抗して右に移動する。そのため、第一のトーションバネ６０が巻き込まれ、その撓み角が大きくなる。なお、カムフォロワ２７がカム面２０に接している状態でユーザが前筐体３を放すと、第一のトーションバネ６０の付勢力によってスライダ２６が下に移動し、図８の状態に戻る。
【００４６】
更にユーザが後ろ筐体４に対して前筐体３を下にスライドさせると、図９に示すようにカムフォロワ２７が頂部１７に至って更にカム面２１に接する。そうすると、第一のトーションバネ６０の付勢力がカムフォロワ２７からカム面２１に作用しているから、カムフォロワ２７がその反力を受ける。そのため、ユーザが大きな荷重を掛けずとも、第一のトーションバネ６０によってスライダ２６がベース１０に対して自然に上にスライドし、前筐体３が後ろ筐体４に対して自然に下にスライドする。
【００４７】
そして、更にユーザが後ろ筐体４に対して前筐体３を下にスライドさせると、スライダ２６が最上位置に至って、前筐体３の上端と後ろ筐体４の上端の上下の位置が揃う。スライダ２６が最上位置に至る際には、図１０〜図１２に示すようにカムフォロワ２７がカム面２１からカム面１８へ頂部１４を乗り越える。具体的には、図１０に示すようにカムフォロワ２７が頂部１４に至る直前では、第一のガイド板５０及びカムフォロワ２７等が第一のトーションバネ６０によって左に付勢されるからカムフォロワ２７が頂部１４を乗り越える。図１１に示すようにカムフォロワ２７が頂部１４を乗り越える時、カムフォロワ２７のすべり首部３７が逃げ３３に逃げ、後部フランジ３６が逃げ５７に逃げ、第一のガイド板５０が摺動ピン５３を中心として左に傾く。そして、カムフォロワ２７が頂部１４を乗り越えると、図２、図１２に示すように両トーションバネ６０，６５が釣り合ってカムフォロワ２７が左右の中央部に位置する。このように、カムフォロワ２７が釣り合う位置よりも頂部１４が右側にあるため、スライダ２６が最上位置に至った際にはカムフォロワ２７が頂部１４を自然に乗り越える。特に、カム面２１がガイド３２の長手方向に対して垂直であるから、カムフォロワ２７が頂部１４を乗り越えやすくなっている。このように、カムフォロワ２７が頂部１４を乗り越える際には、逃げ３３，５７によってカムフォロワ２７がスライダ２６に対して僅かながら上にずれるため、スライダ２６自体がベース１０に対して上にずれない。それゆえ、カムフォロワ２７が頂部１４を乗り越える際に、前筐体３が後ろ筐体４に対して上下にがたつかない。
【００４８】
（２）スライダ２６が最上位置から最下位置にスライドする場合
スライダ２６が最上位置にある状態（図２参照）からユーザが後ろ筐体４に対して前筐体３を上にスライドさせる。そうすると、スライダ２６が下にスライドし、スライダ２６とともにカムフォロワ２７も下に移動し、それに伴ってカムフォロワ２７がカム面１８によって左に押されながらカム面１８を摺動する。そのため、カムフォロワ２７、前部フランジ３５及び後部フランジ３６がガイド３２に沿って左に移動する。この際、前部フランジ３５がガイド穴５１に沿って左に移動するから第一のガイド板５０が移動しないが、後部フランジ３６によって第二のガイド板５５が第二のトーションバネ６５の付勢力に抗して左に移動する。そのため、第二のトーションバネ６５が巻き込まれ、その撓み角が大きくなる。なお、カムフォロワ２７がカム面１８に接している状態でユーザが前筐体３を放すと、第二のトーションバネ６５の付勢力によってスライダ２６が上に移動し、図２の状態に戻る。
【００４９】
更にユーザが後ろ筐体４に対して前筐体３を上にスライドさせると、図１３に示すようにカムフォロワ２７が頂部１５に至って更にカム面１９に接する。そうすると、第二のトーションバネ６５の付勢力がカムフォロワ２７からカム面１９に作用しているから、カムフォロワ２７がその反力を受ける。そのため、ユーザが大きな荷重を掛けずとも、第二のトーションバネ６５によってスライダ２６がベース１０に対して自然に下にスライドし、前筐体３が後ろ筐体４に対して自然に上にスライドする。
【００５０】
そして、更にユーザが後ろ筐体４に対して前筐体３を上にスライドさせると、スライダ２６が最下位置に至って、入力部７の全体が露出する。この際、カムフォロワ２７が頂部１６に至る直前では、第二のガイド板５５及びカムフォロワ２７等が第二のトーションバネ６５によって右に付勢されるからカムフォロワ２７が頂部１６を乗り越える。カムフォロワ２７が頂部１６を乗り越える時、カムフォロワ２７のすべり首部３７が逃げ３４に逃げ、前部フランジ３５が逃げ５２に逃げ、第二のガイド板５５が摺動ピン５８を中心として右に傾く。そして、カムフォロワ２７が頂部１６を乗り越えると、図８に示すように両トーションバネ６０，６５が釣り合ってカムフォロワ２７が左右の中央部に位置する。このように、カムフォロワ２７が釣り合う位置よりも頂部１６が左側にあるため、スライダ２６が最下位置に至った際にはカムフォロワ２７が頂部１６を自然に乗り越える。しかも、カム面１９がガイド３２の長手方向に対して垂直であるから、カムフォロワ２７が頂部１６を乗り越えやすくなっている。このように、カムフォロワ２７が頂部１６を乗り越える際も、スライダ２６がベース１０に対して上下にがたつかず、前筐体３が後ろ筐体４に対して上下にがたつかない。
【００５１】
以上のように、本実施形態においては、カムフォロワ２７がガイド３２によって左右の頂部１５，１７の対応位置の間を左右に案内され、カムフォロワ２７がカム１３に外接し、更にカムフォロワ２７が付勢機構２４によってカム１３の左右の中央部に向けて付勢されている。そのため、スライダ２６を最上位置から最下位置にスライドする際には、カムフォロワ２７をカム面１８，１９に摺動させることができ、逆にスライダ２６を最下位置から最上位置にスライドする際には、カムフォロワ２７をカム面２０，２１に摺動させることができる。それゆえ、スライダ２６のスライド向きによってカムフォロワ２７の経路を異ならせることができる。特に、上の頂部１４がトーションバネ６０，６５によるカムフォロワ２７の釣り合いの位置よりも右に配置され、下の頂部１６がその釣り合い位置よりも左に配置されているから、最上位置や最下位置においてカムフォロワ２７が頂部１４，１６を確実に乗り越える。それゆえ、スライダ２６のスライド向きによってカムフォロワ２７の経路を確実に異ならせることができる。
【００５２】
従って、スライダ２６のスライド向きによってカムフォロワ２７の経路が異なるから、付勢機構２４の付勢力に抗してスライダ２６をスライドする距離をスライドの向きごとに独立して設定することができるとともに、付勢機構２４の付勢力によってスライダ２６のスライドを補助する距離をスライドの向きごとに独立して設定することができる。特に、
カム面１８の長さがカム面１９の長さよりも短いから、付勢機構２４の付勢力に抗してスライダ２６を下にスライドさせる距離が、付勢機構２４の付勢力に補助されてスライダ２６を下にスライドさせる距離よりも短くなる。カム面２０の長さがカム面２１の長さよりも短いから、スライダ２６を上にスライドする場合についても同様である。よって、ユーザにとっては両筐体３，４を閉じるときも開くときも操作しやすくなる。
【００５３】
また、ガイド３２が、スライダ２６の摺動方向に対して垂直ではなく、それに対して傾斜している。そのため、スライダ２６が上下にスライドするに際して、カムフォロワ２７の首部３７が滑らかに摺動するから、カムフォロワ２７が滑らかに左右に移動する。また、カムフォロワ２７がローラフォロワであるから、カムフォロワ２７が転動し、カムフォロワ２７が滑らかにカム面１８〜２１を摺動する。以上のようにカムフォロワ２７が摺動しやく滑らかに動くから、ユーザにとって低負荷で両筐体３，４を開閉することができる。
【００５４】
なお、本発明は上記実施形態に限定されるものではなく、上記実施形態に対して種々の設計変更を行ったものも本発明の範囲に含まれる。
例えば、カム１３の形状は必ずしも平行四辺形である必要はない。例えば、正面から見てカム面１８〜２１が円弧状であってもよい。但し、最上位置及び最下位置においてカムフォロワ２７を保持する観点から、頂部１４，１６の内角が９０°以下であることが好ましい。また、スライダ２６を滑らかにスライドさせる観点から、頂部１５，１７の内角が９０°以上であることが好ましい。トーションバネ６０，６５の付勢力に抗してスライダ２６をスライドさせる距離よりもトーションバネ６０，６５によって補助されながらスライダ２６をスライドさせる距離を長くする観点から、カム面１８がカム面１９よりも短く、カム面２０がカム面２１よりも短いことが好ましい。
【００５５】
また、図１４に示すように、図２等を用いて説明したスライド機構２に対して左右の関係を反対にし、スライド機構２に対して鏡像関係にあるスライド機構２Ａとしてもよい。スライド機構２Ａはスライド機構２に対して面対称になっていることを除いてスライド機構２と同一であるので、図１４と図２では、互いに対応する構成要素に同一の符号を付し、スライド機構２Ａの説明を省略する。なお、図１４においてはカム部８が右凸カム部であり、カム部９が左凸カム部である。
【００５６】
また、外接カム１３の代わりに溝カムであってもよい。
【００５７】
〔第２の実施の形態〕
図１５は、本発明の第２実施形態におけるスライド機構１０２を示した斜視図であり、図１６は、スライド機構１０２を示した背面図である。
【００５８】
図１５、図１６に示すように、このスライド機構１０２は、薄板状のベース１１０と、ベース１１０の後面に設けられたカム１１３と、ベース１１０に対して上下に移動可能となってベース１１０に取り付けられたスライダ１２６と、スライダ１２６に対して左右に移動可能に設けられたカムフォロワ１２７と、カムフォロワ１２７をスライダ１２６の左右の中心に向けて左右に付勢する付勢バネ１２４と、を有する。
【００５９】
第一実施形態におけるベース１０と同様に、ベース１１０の左右両端には、ガイドレール１１１，１１２が形成されている。
また、第一実施形態におけるスライダ２６と同様に、スライダ１２６の左右両側にはすべり具１２８，１２９が設けられ、すべり具１２８のスリット１３０にガイドレール１１１が差し込まれ、すべり具１２９のスリット１３１にガイドレール１１２が差し込まれている。これによりスライダ１２６がベース１１０に対して上下にスライド可能となっている。
カム１１３は、ベース１１０の左右の中央部であって、ベース１１０の上下の中央部よりも僅かながら上に設けられている。このカム１１３は平行四辺形を呈しており、カム１１３の四つの頂部１１４〜１１７が上、左、下、右に配置されている。このカム１１３は、右に凸となった山状の右凸カム部１０８と、左に凸となった山状の左凸カム部１０９とに分けられる。右凸カム部１０８が、頂部１１４と頂部１１５の間のカム面１１８と、頂部１１５と頂部１１６の間のカム面１１９と、を有する。左凸カム部１０９が、頂部１１６と頂部１１７の間のカム面１２０と、頂部１１７と頂部１１４の間のカム面１２１と、を有する。カム面１１８が頂部１１４からから右斜め下に傾斜し、カム面１１９が頂部１１５から左斜め下に傾斜し、カム面１２０が頂部１１６から左斜め上に傾斜し、カム面１２１が頂部１１７から右斜め上に傾斜している。上下方向における頂部１１５の位置が頂部１１４，１１６のうち頂部１１４寄りになっており、上下方向における頂部１１７の位置が頂部１１４，１１６のうち頂部１１６寄りになっている。そのため、カム面１１８，１２０の長さはカム面１１９，１２１の長さよりも短い。
【００６０】
スライダ１２６の上部にはガイド１３２が形成されている。ガイド１３２は左右に長尺な長孔であり、カムフォロワ１２７がガイド１３２によって左右に案内される。このガイド１３２の右側の部分がスライダ１２６の左右の中心から右斜め上に傾斜し、ガイド１３２の左側の部分がスライダ１２６の左右の中心から左斜め上に傾斜し、ガイド１３２全体として下に凸に湾曲している。
【００６１】
付勢バネ１２４の一端部がカムフォロワ１２７に連結され、付勢バネ１２４の他端部がスライダ１２６の左右の中心であってガイド１３２よりも下側においてスライダ１２６に連結されている。カムフォロワ１２７がその軸心を中心にして付勢バネ１２４の一端部に対して回転可能となっており、付勢バネ１２４の他端部がスライダ１２６との連結部１９０を中心にして回転可能となっている。この付勢バネ１２４はトーションバネであり、付勢バネ１２４によってカムフォロワ１２７が連結部１９０に向けて引っ張られ、カムフォロワ１２７に作用するモーメントによってカムフォロワ１２７がスライダ１２６の左右の中心に向けて左右に付勢される。そのため、カムフォロワ１２７がカム１１３に外接し、更に付勢バネ１２４によってカム１１３に圧接されている。また、カムフォロワ１２７がスライダ１２６の左右の中心に位置する場合には、モーメントが釣り合っている。
【００６２】
カム１１３の上の頂部１１４はカムフォロワ１２７が釣り合う位置よりも左に配置され、下の頂部１１６はカムフォロワ１２７が釣り合う位置よりも右に配置されている。
【００６３】
このスライド機構１０２はスライド機構２の代わりに電子機器１に組み付けられる。具体的には、第１実施形態の場合と同様に、ベース１１０が前筐体３の後面に取り付けられ、スライダ１２６が後ろ筐体４の前面であって入力部７の上側に取り付けられている。
【００６４】
次に、スライド機構１０２及び電子機器１の操作方法及び作用について説明する。
図１６に示すように、スライダ１２６の上端とベース１１０の上端が揃っている状態では、カムフォロワ１２７がガイド１３２の左右の中央部に位置し、カムフォロワ１２７が頂部１１４の近傍においてカム面１１８に接し、電子機器１の前筐体３の上端と後ろ筐体４の上端の上下の位置が揃っている。
【００６５】
そして、ユーザが後ろ筐体４に対して前筐体３を上にスライドさせる。そうすると、スライダ１２６が下にスライドし、スライダ１２６とともにカムフォロワ１２７も下に移動し、それに伴ってカムフォロワ１２７が付勢バネ１２４に抗してカム面１１８によって押されてカム面１１８を摺動する。なお、カムフォロワ１２７がカム面１１８に接している状態でユーザが前筐体３を放すと、付勢バネ１２４の付勢力によってスライダ１２６が上に移動し、図１６の状態に戻る。
【００６６】
更にユーザが後ろ筐体４に対して前筐体３を上にスライドさせると、図１７に示すようにカムフォロワ１２７が頂部１１５に至って更にカム面１１９に接する。そうすると、付勢バネ１２４によってカムフォロワ１２７がカム面１１９に押しつけられるから、カムフォロワ１２７がその反力を受ける。そのため、ユーザが大きな荷重を掛けずとも、付勢バネ１２４によってスライダ１２６がベース１１０に対して自然に下にスライドし、前筐体３が後ろ筐体４に対して自然に上にスライドする。
【００６７】
そして、更にユーザが後ろ筐体４に対して前筐体３を上にスライドさせる。そうすると、カムフォロワ１２７が頂部１１６に至る直前ではカムフォロワ１２７が付勢バネ１２４によって中心に付勢されるため、カムフォロワ１２７が頂部１１６を乗り越える。そして、図１８に示す状態になる。
【００６８】
図１８に示すようにスライダ１２６の下端とベース１１０の下端が揃っている状態では、カムフォロワ１２７がガイド１３２の左右の中央部に位置し、カムフォロワ１２７が頂部１１６の近傍においてカム面１２０に接し、電子機器１の入力部７全体が露出している。
【００６９】
そして、ユーザが後ろ筐体４に対して前筐体３を下にスライドさせる。カムフォロワ１２７がカム面１２０を摺動し、図１９に示すようにカムフォロワ１２７が頂部１１７に至った後、カム面１２１を摺動する。カムフォロワ１２７がカム面１２０に接している状態では、下向きの荷重がスライダ１２６に作用し、カムフォロワ１２７がカム面１２１に接している状態では、上向きの荷重がスライダ１２６に作用する。
【００７０】
更にユーザが後ろ筐体４に対して前筐体３を下にスライドさせる。そうすると、カムフォロワ１２７が頂部１１４に至る直前ではカムフォロワ１２７が付勢バネ１２４によって付勢されるため、カムフォロワ１２７が頂部１１４を乗り越える。そして、図１６に示す状態になる。
【００７１】
なお、本発明は上記実施形態に限定されるものではなく、上記実施形態に対して種々の設計変更を行ったものも本発明の範囲に含まれる。
例えば、図１５〜図１９等を用いて説明したスライド機構１０２に対して鏡像関係にあるスライド機構としてもよい。また、外接カム１１３の代わりに溝カムであってもよい。
【図面の簡単な説明】
【００７２】
【図１】本発明の第１実施形態における電子機器の分解斜視図である。
【図２】本発明の第１実施形態におけるスライド機構の正面図である。
【図３】上記スライド機構の分解斜視図である。
【図４】上記スライド機構のベースの斜視図である。
【図５】上記スライド機構のキャリッジユニットの正面図である。
【図６】上記キャリッジユニットの分解斜視図である。
【図７】上記キャリッジユニットの分解斜視図である。
【図８】上記スライド機構の正面図である。
【図９】上記スライド機構の正面図である。
【図１０】上記スライド機構の上部の概略正面図である。
【図１１】上記スライド機構の上部の概略正面図である。
【図１２】上記スライド機構の上部の概略正面図である。
【図１３】上記スライド機構の正面図である。
【図１４】変形例のスライド機構の正面図である。
【図１５】本発明の第２実施形態におけるスライド機構の斜視図である。
【図１６】上記スライド機構の背面図である。
【図１７】上記スライド機構の背面図である。
【図１８】上記スライド機構の背面図である。
【図１９】上記スライド機構の背面図である。
【符号の説明】
【００７３】
１  電子機器
２，２Ａ，１０２  スライド機構
３  前筐体
４  後ろ筐体
８  左凸カム部
９  右凸カム部
１０，１１０  ベース
１３，１１３  カム
１４，１５，１６，１７，１１４，１１５，１１６，１１７  頂部
１８，１９，２０，２１，２２，１１８，１１９，１２０，１２１  カム面
２４  付勢機構
２６，１２６  スライダ
２７，１２７  カムフォロワ
３２，１３２  ガイド
３３，３４  逃げ
５０  第一のガイド板
５５  第二のガイド板
５１，５６  ガイド穴
５４，５９  規制部
６０  第一のトーションバネ
６５  第二のトーションバネ
１０８  右凸カム部
１０９  左凸カム部
１２４  付勢バネ
【図１】
0004521489.tif 000002
【図２】
0004521489.tif 000003
【図３】
0004521489.tif 000004
【図４】
0004521489.tif 000005
【図５】
0004521489.tif 000006
【図６】
0004521489.tif 000007
【図７】
0004521489.tif 000008
【図８】
0004521489.tif 000009
【図９】
0004521489.tif 000010
【図１０】
0004521489.tif 000011
【図１１】
0004521489.tif 000012
【図１２】
0004521489.tif 000013
【図１３】
0004521489.tif 000014
【図１４】
0004521489.tif 000015
【図１５】
0004521489.tif 000016
【図１６】
0004521489.tif 000017
【図１７】
0004521489.tif 000018
【図１８】
0004521489.tif 000019
【図１９】
0004521489.tif 000020